(57)【要約】【課題】スマートフォンをより安定して保持できる車載用容器ホルダを提供すること。【解決手段】  上下方向に延びる周壁２、及び、前記周壁２の下方において前記周壁２と交差する方向に延び前記周壁２とともに上方に開口する収容空間５を区画形成する底壁３を有し、  前記底壁３は、前記開口５ｏから前記収容空間５に挿し込まれたスマートフォン９２の底部を支持する底支持領域３５を有し、  前記周壁２における上端２ｔｅは、前記スマートフォン９２の裏面９２ｂｓを支持する裏支持領域２９を有し、  前記周壁２における下端２ｂｅは、前記底壁３と上下方向に離れ前記スマートフォン９２の表面９２ｆｓを支持する表支持領域２１を有する、車載用容器ホルダ１。【選択図】図１
2020179834.tif 000002
【特許請求の範囲】
【請求項１】
上下方向に延びる周壁、及び、前記周壁の下方において前記周壁と交差する方向に延び前記周壁とともに上方に開口する収容空間を区画形成する底壁を有し、
前記底壁は、前記開口から前記収容空間に挿し込まれたスマートフォンの底部を支持する底支持領域を有し、
前記周壁における上端は、前記スマートフォンの裏面を支持する裏支持領域を有し、
前記周壁における下端は、前記底壁と上下方向に離れ前記スマートフォンの表面を支持する表支持領域を有する、車載用容器ホルダ。
【請求項２】
前記周壁及び前記底壁は樹脂製である、請求項１に記載の車載用容器ホルダ。
【請求項３】
前記裏支持領域を車両進行方向の先側に向け、前記表支持領域を車両進行方向の後側に向ける、請求項１または請求項２に記載の車載用容器ホルダ。
【発明の詳細な説明】
【技術分野】
【０００１】
本発明は、車両に搭載される車載用容器ホルダに関する。
【背景技術】
【０００２】
一般的な車両における車室内には、飲料の入ったカップやペットボトル、缶等の飲料容器を保持するための車載用容器ホルダが搭載される。
近年、スマートフォンや音楽プレーヤー、ＰＤＡ等の小型のモバイル機器が普及したことにより、乗員が車室内に当該小型のモバイル機器を持ち込む機会もまた増大している。本明細書においては、これらの小型のモバイル機器を総称してスマートフォンという。
【０００３】
ところで、スマートフォンを車室内に持ち込んだ乗員が、車両の走行時に、スマートフォンを保持するために、上記した車載用容器ホルダを利用する場合がある。車載用容器ホルダは、一般に、座席に着座した乗員の手の届く範囲に配設されるため、スマートフォンを保持するホルダとして適していると考えられる。
しかし車載用容器ホルダは、スマートフォンとは大きく形状の異なるカップやペットボトル、缶等を保持するために設計されたホルダである。したがって、このような車載用容器ホルダによってスマートフォンを安定して支持することは、甚だ困難である。
【０００４】
携帯電話を安定に支持するための車載用容器ホルダも提案されている（例えば、特許文献１参照）。特許文献１に紹介されているドリンクホルダー構造は、具体的には、インストルメントパネルコアに形成された開口に、飲料容器を収容するために設けられるものである。当該ドリンクホルダー構造は、上記の開口に出没するように移動自在に取り付けられるホルダー本体を有する。ホルダー本体には凹状の収容部が設けられ、特許文献１の図１には、ホルダー本体に設けられた収容部の底面に凹部が設けられている様子が図示されている。
【０００５】
特許文献１の技術において、ホルダー本体は、収容部の全体が露出する状態と、収容部の一部のみが露出する状態と、で保持され、収容部の全体が露出する状態において、収容部に飲料容器を収容する。
また、収容部の一部のみが露出する状態において、開口とホルダー本体との間には隙間（特許文献１の実施例では当接部材と化粧部材との隙間）があり、当該隙間から収容部に携帯電話を収容できる。このとき携帯電話の下端は、凹部に嵌り込み、当該凹部で支持される。
【０００６】
このような特許文献１の実施例の欄（〔００２０〕段落）には、携帯電話の下端が凹部に嵌り込むことで、車両走行中における携帯電話のがたつきを抑制できる旨が記載されている。つまり、特許文献１に紹介されている技術を転用すると、特許文献１の図１に示される前方および後方に向けたスマートフォンの位置変化を規制することができると考えられる。
【０００７】
しかし、特許文献１に紹介されているようなドリンクホルダー構造によっても、スマートフォンを常に安定して保持できるとは言い難い。したがって、スマートフォンをより安定して保持できる車載用容器ホルダが望まれている。
【先行技術文献】
【特許文献】
【０００８】
【特許文献１】特開２０１７−６１２５８号公報
【発明の概要】
【発明が解決しようとする課題】
【０００９】
本発明は、上記事情に鑑みてなされたものであり、スマートフォンをより安定して保持できる車載用容器ホルダを提供することを目的とする。
【課題を解決するための手段】
【００１０】
本発明の車載用容器ホルダは、
上下方向に延びる周壁、及び、前記周壁の下方において前記周壁と交差する方向に延び前記周壁とともに上方に開口する収容空間を区画形成する底壁を有し、
前記底壁は、前記開口から前記収容空間に挿し込まれたスマートフォンの底部を支持する底支持領域を有し、
前記周壁における上端は、前記スマートフォンの裏面を支持する裏支持領域を有し、
前記周壁における下端は、前記底壁と上下方向に離れ前記スマートフォンの表面を支持する表支持領域を有する、車載用容器ホルダである。
【００１１】
本発明の車載用容器ホルダによると、スマートフォンを安定して保持できる。
【図面の簡単な説明】
【００１２】
【図１】実施例１の車載用容器ホルダを模式的に表す斜視図である。
【図２】図２は実施例１の車載用容器ホルダの上面及び断面を関連づけて説明する説明図である。
【図３】実施例２の車載用容器ホルダを模式的に表す斜視図である。
【図４】実施例３の車載用容器ホルダを模式的に表す斜視図である。
【図５】実施例４の車載用容器ホルダを模式的に表す斜視図である。
【図６】実施例５の車載用容器ホルダを模式的に表す斜視図である。
【図７】実施例６の車載用容器ホルダを模式的に表す斜視図である。
【発明を実施するための形態】
【００１３】
以下、本発明の車載用容器ホルダを具体的に説明する。
また、特に断らない限り、本明細書に記載された数値範囲「ｘ〜ｙ」は、下限ｘおよび上限ｙをその範囲に含む。そして、これらの上限値および下限値、ならびに実施形態中に列記した数値も含めてそれらを任意に組み合わせることで数値範囲を構成し得る。さらに数値範囲内から任意に選択した数値を上限、下限の数値とすることができる。
【００１４】
本発明の車載用容器ホルダは、周壁及び底壁を有する。周壁と底壁は収容空間を区画形成し、本発明の車載用容器ホルダにおいては、当該収容空間に飲料容器やスマートフォンを収容できる。
具体的には、本発明の車載用容器ホルダは、既述した特許文献１のドリンクホルダー構造のような引き出し式のホルダとは異なり、飲料容器を保持する際にも、スマートフォンを保持する際にも、開口の幅は変わらない。スマートフォンの厚さは飲料容器の外径に比べて薄いため、スマートフォンは、本発明の車載用容器ホルダに対して傾いた状態で保持される。
【００１５】
本発明の車載用容器ホルダは、周壁と底壁とを有する。このうち周壁は、上下方向に延びる。底壁は、当該周壁の下方において当該周壁と交差する方向に延び、当該周壁とともに上方に開口する収容空間を区画形成する。底壁は底支持領域を有し、周壁における上端は裏支持領域を有し、周壁における下端は表支持領域を有する。
このうち底支持領域は、開口から収容空間に挿し込まれたスマートフォンの底部を支持する領域である。また、裏支持領域は、上記したスマートフォンの裏面を支持する領域である。さらに、表支持領域は、上記の底壁と上下方向に離れており、スマートフォンの表面を支持する領域である。
【００１６】
本発明の車載用容器ホルダは、上記した３つの領域、すなわち、底支持領域、裏支持領域および表支持領域によって、スマートフォンを傾いた状態で保持することができる。
【００１７】
ところで、車両走行時において、車載用容器ホルダに保持されたスマートフォンには様々な方向の力が作用する。特に車両の急制動時にはスマートフォンに大きな力が作用し、場合によっては、スマートフォンが車載用容器ホルダの開口を経て上方に飛び出す虞もある。
既述したように、特許文献１に紹介されているような従来の車載用容器ホルダでは、前方または後方、すなわち、車両進行方向の先側または後側に向けた力に抗してスマートフォンを保持することができると考えられる。しかし、この種の車載用容器ホルダにおいては、上方に向けた力がスマートフォンに作用すること、および、当該上方に向けた力に抗してスマートフォンを保持することに関して、何らの考慮もなされていない。
【００１８】
本発明の車載用容器ホルダにおいては、周壁における下端の一部である表支持領域が、底壁と上下方向に離れている。当該表支持領域の下方には、周壁と底壁との隙間があり、当該隙間には、スマートフォンにおける底部を挿し込むことができる。以下、必要に応じて、当該隙間を挿し込み隙間と称する。
【００１９】
挿し込み隙間は表支持領域の下方にある。そして、当該挿し込み隙間には、裏面を下側に表面を上側に向けたスマートフォンの底部が斜めに挿し込まれる。したがって、本発明の車載用容器ホルダにスマートフォンを保持すると、スマートフォンにおける底部側の表面の上方には、表支持領域が存在することになる。
スマートフォンにおける底部側の表面の上方に、表支持領域が存在することで、車両の急制動時等に上方に向けた力がスマートフォンに作用する場合にも、スマートフォンの少なくとも底部は、表支持領域によって上側から支持される。このため、本発明の車載用容器ホルダによると、スマートフォンが上方に飛び出し難くなり、スマートフォンをより安定に保持することが可能である。
【００２０】
なお、既述したように、本発明の車載用容器ホルダは、周壁の裏支持領域及び底壁の底支持領域によってスマートフォンを下側から支持する。特に、スマートフォンの底部が底支持領域によって支持されることで、スマートフォンの底部は、底支持領域と表支持領域とによって上下に挟み込まれるといえる。このことによって、本発明の車載用容器ホルダによるとスマートフォンをより安定して保持することができる。
【００２１】
以下、本発明の車載用容器ホルダを部分毎に説明する。
【００２２】
本発明の車載用容器ホルダは、周壁及び底壁を有する。周壁は、上下方向に延び、その内周面によって飲料容器の側面を支持可能であるとともに、上記の表支持領域および裏支持領域によってスマートフォンの表面および裏面を支持可能である。
【００２３】
ここで、スマートフォンの表面とは、本発明の車載用容器ホルダに保持されたときのスマートフォンの面のうち上方を向く面を意味する。また、スマートフォンの裏面とは、本発明の車載用容器ホルダに保持されたときのスマートフォンの面のうち、下方を向く面を意味する。表面と裏面とは互いに背向し、また、表面と裏面との何れかにスマートフォンの画面が存在する。
【００２４】
また、本発明の車載用容器ホルダにおける周壁の延びる上下方向とは、水平方向に交差する方向を意味し、鉛直方向に限定されない。
本発明の車載用容器ホルダを省スペース化し、かつ、飲料容器及びスマートフォンを安定して保持することを考慮すると、周壁は、鉛直方向に延びるか、または、下側かつ径方向の内側から上側かつ径方向の外側に向けて僅かに傾斜するのが好ましい。
【００２５】
具体的には、鉛直方向に対する周壁の交差角度は、３０°以内であるのが好ましく、１５°以内であるのがより好ましく、５°以内であるのが特に好ましい。
後述する、挿し込み隙間の高さや、当該挿し込み隙間に連絡する奥側空間の奥行きにもよるが、水平方向に対する周壁の交差角度がこの範囲であれば、本発明の車載用容器ホルダに保持されたスマートフォンの傾きが大きくなり過ぎない、つまり、スマートフォンが倒れ過ぎない。このため、例えば停車時や自動運転時等に、周壁の上端にある裏支持領域によって裏面を支持されたスマートフォンの画面を、乗員がストレスなく見ることができる利点がある。
【００２６】
本発明の車載用容器ホルダにおける周壁は、上記した表支持領域および裏支持領域を有するとともに、収容空間の外縁の少なくとも一部を形成して当該収容空間を外界から区画し得る形状であれば良く、その形状は特に限定しない。周壁の形状として、円筒状、角筒状等の形状を例示できる。周壁は、無端のリング状となるように連続的に設けられても良いし、または、断続的に設けられても良い。
なお、飲料容器は円筒状やテーパ状である場合が多いため、その内周面で飲料容器を保持する都合上、周壁の少なくとも一部は水平断面が円弧状となるように湾曲しているのが好ましい。
【００２７】
何れの場合にも、周壁は、表支持領域によってスマートフォンにおける底部側の表面を上側から支持する。また、周壁は、裏支持領域によってスマートフォンにおける頂部側の裏面を下側から支持する。表支持領域と裏支持領域とは、互いに略対向する位置にあるのが好ましい。より具体的には、表支持領域と裏支持領域とは、周壁の中心線を通る平面を挟んで、互いに逆側に位置するのが好ましい。
既述したように、スマートフォンの画面を乗員が見るために、画面側の面を表面として、スマートフォンを本発明の車載用容器ホルダに保持することを考慮すると、本発明の車載用容器ホルダは、座席の前側に配置され、裏支持領域を車両進行方向の先側に向け、表支持領域を車両進行方向の後側に向けるのが好ましい。
【００２８】
具体的には、裏支持領域の中心と表支持領域の中心とをむすぶ直線が車両進行方向に対してなす角は、３０°以下であるのが好ましく、２０°以下であるのがより好ましく、１０°以下であるのがさらに好ましく、５°以下であるのが特に好ましい。
【００２９】
底壁は、周壁の下方にある壁であり、周壁と交差する方向に延びる。また、当該底壁は、上方に開口する収容空間を、周壁とともに区画形成する。当該収容空間には飲料容器が保持される都合上、底壁は略水平に延びるのが好ましい。具体的には、底壁が水平方向に対してなす角は、２０°以下であるのが好ましく、１０°以下であるのがより好ましく５°以下であるのが特に好ましい。
【００３０】
ところで、底壁と表支持領域とは上下方向に離れ、底壁の上方かつ表支持領域の下方には挿し込み隙間が形成される。本発明の車載用容器ホルダに保持されるスマートフォンの底部は、当該挿し込み隙間に挿し込まれる。つまり、当該挿し込み隙間よりもさらに奥側方向、換言すると周壁よりもさらに径方向外側には、スマートフォンの底部を収容できる空間が存在する。当該空間を奥側空間と称する。奥側空間は、挿し込み隙間を通じて収容空間に連絡される。
【００３１】
奥側空間としては外界すなわち車載用容器ホルダの外部を利用しても良いし、奥側空間と外界とを何らかの壁で区画しても良い。換言すると、挿し込み隙間は車載用容器ホルダの内外を連絡する開口であっても良いし、または、挿し込み隙間のさらに奥側が壁で覆われても良い。
なお、何れの場合にも、底壁は挿し込み隙間よりもさらに奥側にまで連続することが好ましい。スマートフォンの形状や傾斜角度にも依るが、底壁の底支持領域は、挿し込み隙間の近傍に形成される。底壁を挿し込み隙間よりもさらに奥側にまで連続させることで、底支持領域を挿し込み隙間よりもさらに奥側にまで拡張でき、ひいては、種々の形状のスマートフォンの底部を、底支持領域によって信頼性高く支持できる利点がある。
また、挿し込み隙間の奥側を壁によって覆う場合には、飲料容器からこぼれた飲料等を車載用容器ホルダの内部に留めておくことができる利点がある。
【００３２】
挿し込み隙間の高さは、本発明の車載用容器ホルダに保持することが想定されるスマートフォンの大きさや、本発明の車載用容器ホルダに保持した際のスマートフォンの傾き等に応じて適宜設定すれば良い。したがって、本発明の車載用容器ホルダにおける当該挿し込み隙間の高さは特に限定されない。
【００３３】
車載用容器ホルダにおける挿し込み隙間の高さＨ１の好ましい範囲を強いて挙げるとすれば、５ｍｍ≦Ｈ１≦５０ｍｍの範囲内、７ｍｍ≦Ｈ１≦４０ｍｍの範囲内、１０ｍｍ≦Ｈ１≦２０ｍｍの範囲内が挙げられる。挿し込み隙間の高さＨ１が過小であれば、スマートフォンの底部を当該挿し込み隙間に差し込み難い。また、挿し込み隙間の高さＨ１が過大であれば、当該挿し込み隙間を通じてスマートフォンが収容空間の奥側、すなわち、奥側空間または外界に滑り落ちる虞がある。
車載用容器ホルダの高さＨ０と挿し込み隙間の高さＨ１との好ましい関係としては、１／１０≦Ｈ１／Ｈ０≦２／３、１／７≦Ｈ１／Ｈ０≦３／５、１／５≦Ｈ１／Ｈ０≦１／２の各範囲を挙げることができる。
【００３４】
なお、本明細書でいう「高さ」とは、上下方向における長さを意味する。したがって、挿し込み隙間の高さＨ１とは、挿し込み隙間の上下方向における長さを意味する。挿し込み隙間の高さＨ１が均一でない場合には、挿し込み隙間のうちスマートフォンの底部を挿し込むことができる部分の高さの最大値を、挿し込み隙間の高さＨ１とみなせば良い。
【００３５】
また、車載用容器ホルダの高さＨ０とは、挿し込み隙間の上側に連続する周壁の高さすなわち上下方向における長さと、当該挿し込み隙間の上下方向における長さと、の和を意味する。挿し込み隙間の高さや、当該挿し込み隙間の上側に連続する周壁の高さが一定でない場合には、上記と同様に、挿し込み隙間のうちスマートフォンの底部を挿し込むことができる部分の高さの最大値、および、当該挿し込み隙間の上側に連続する周壁の高さの和を、車載用容器ホルダの高さＨ０とみなせば良い。
【００３６】
なお、本発明の車載用容器ホルダにおいて、周壁における底壁側の下端は、その一部が表支持領域を成しても良いし、その全体が表支持領域を成しても良い。換言すると、表支持領域は、周壁の下端における周方向の一部にのみあっても良いし、周壁の全周に連続しても良い。裏支持領域も同様に、周壁の上端における周方向の一部にのみあっても良いし、周壁の全周に連続しても良い。
【００３７】
また、表支持領域は、スマートフォンにおける表面を上側から支持できれば良く、当該表面と点接触しても良いし、線接触しても良いし、面接触しても良い。
【００３８】
上下方向における表支持領域の位置、すなわち挿し込み隙間の高さＨ１は、車載用容器ホルダの周方向において均一であっても良いし、不均一であっても良い。
【００３９】
車載用容器ホルダの周方向において、挿し込み隙間の高さＨ１が不均一である場合、上記した挿し込み隙間の高さＨ１の好ましい範囲、及び、車載用容器ホルダの高さＨ０と挿し込み隙間の高さＨ１との好ましい関係は、挿し込み隙間の全体において成立しても良いし、挿し込み隙間の一部においてのみ成立しても良い。好ましくは、本発明の車載用容器ホルダにおける車両進行方向の後側部分で、挿し込み隙間の高さＨ１が上記した好ましい範囲内にあるか、または、車載用容器ホルダの高さＨ０と挿し込み隙間の高さＨ１との関係が上記した好ましい範囲内にあるのが良い。
【００４０】
なお、本明細書において、車載用容器ホルダにおける車両進行方向の後側部分とは、車両に搭載した車載用容器ホルダの中心線を含み車両進行方向に対して直交する平面を基準とし、当該平面よりも車両進行方向の後側にある部分を意味する。同様に、車載用容器ホルダにおける車両進行方向の先側部分とは、車両に搭載した車載用容器ホルダの中心線を含み車両進行方向に対して直交する平面を基準とし、当該平面よりも車両進行方向の先側にある部分を意味する。
【００４１】
本発明の車載用容器ホルダの材料は特に限定されず、樹脂、金属、セラミックス、エラストマー等に代表される種々の材料を用い得る。なお、本発明の車載用容器ホルダは、車両に搭載される都合上、車両の走行時にも飲料容器を安定して保持でき、かつ、軽量であるのが好ましい。このことを考慮すると、本発明の車載用容器ホルダにおいて、特に周壁及び底壁の材料としては、硬質かつ軽量な材料を選択するのが好ましい。
【００４２】
具体的には、周壁及び底壁の材料は、アクリロニトリル−ブタジエン−スチレン共重合合成樹脂（ＡＢＳ）、ポリエチレンテレフタレート（ＰＥＴ）、アクリル樹脂、ポリエチレン樹脂、ポリプロピレン樹脂等に代表される樹脂材料を含むのが好ましい。これらは一種のみを用いても良いし、複数種を併用しても良い。さらに、周壁及び底壁の材料として同じ樹脂材料を用いても良いし異なる樹脂材料を用いても良い。加えて、本発明の車載用容器ホルダにおける周壁及び底壁の材料は、各種の樹脂材料に加えて、グラスファイバーやカーボンファイバー等の充填材や、各種の着色顔料等を含んでも良い。
【００４３】
本発明の車載用容器ホルダにおいて、周壁及び底壁の材料として硬質な樹脂材料を選択することで、周壁及び底壁が剛体となり、これらが相対的に位置変化し難くなる。したがって、この場合には、本発明の車載用容器ホルダによって飲料容器やスマートフォンをより安定して保持することが可能になる。
【００４４】
本発明の車載用容器ホルダにおける周壁や底壁には、軟質材料からなる軟質部材を一体化しても良い。当該軟質部材は、接着や溶着等の既知の固着方法によって、周壁の内周面または上面や底壁の上面に一体化できる。軟質材料からなる軟質部材は、衝撃を吸収することができるため、当該軟質部材を一体化することで周壁や底壁に衝撃吸収能を付与でき、飲料容器やスマートフォンを本発明の車載用容器ホルダによってより安定して保持することが可能になる。
なお、当該軟質部材に用いる軟質材料としては、ゴムや発泡ポリウレタン等の弾性変形可能な材料を選択するのが好ましい。ここで言う軟質とは、周壁や底壁の材料に比べて硬度が低いことを意味する。
【００４５】
以下、具体例を挙げて本発明の車載用容器ホルダを説明する。
【００４６】
（実施例１）
実施例１の車載用容器ホルダは、車両の運転席と助手席との間においてインストルメントパネルに一体的に設けられるものであり、車両進行方向においては運転席および助手席よりも先側に配置される。
図１は実施例１の車載用容器ホルダを模式的に表す斜視図である。図２は実施例１の車載用容器ホルダの上面及び断面を関連づけて説明する説明図である。
以下、上、下、左、右、先、後とは、図１における上、下、左、右、先、後を指す。なお、左右は、実施例１の車載用容器ホルダを搭載した車両の車幅方向と一致し、先側は当該車両の進行方向における先側と一致し、後側は当該車両の進行方向における後側と一致する。さらに、上下方向は鉛直方向に一致し、先側−後側方向かつ左右方向に延びる平面に平行な方向は、水平方向に一致する。
【００４７】
実施例１の車載用容器ホルダ１はＡＢＳ製であり、図１に示すように、周壁２、底壁３および奥側区画部４を有する。図２に示すように、実施例１の車載用容器ホルダ１は、図略のセンターコンソールボックスのさらに先側に連続するインストルメントパネル９０に埋設される。したがって、実施例１の車載用容器ホルダ１における周壁２の一部、より具体的には周壁２の上端２ｔｅは、インストルメントパネル９０の一部によって構成される。
【００４８】
図１に示すように、周壁２は、上下方向、かつ、中心線Ｌ０を中心とする円弧状に延びる円筒状をなす。
底壁３は、略平板状をなし、周壁２の下方において略水平方向に延びる。つまり、底壁３は周壁２と略直交する方向に延びる。
【００４９】
実施例１の車載用容器ホルダ１は、周壁２と底壁３とによって区画形成される収容空間５を有する。当該収容空間５は上方に開口する。図２に示すように、収容空間５には飲料容器９１を保持できる。
【００５０】
ところで、図１および図２に示すように、周壁２の下端２ｂｅは、周壁２における先側部分においては底壁３の上面に一体化され、周壁２における後側部分においては底壁３の上面よりもやや上側で途切れている。つまり、周壁２の下端２ｂｅは、後側部分においては先側部分よりもやや上側にある。このため、周壁２の下端２ｂｅにおける後側部分と底壁３の上面とは上下方向に離れ、当該下端２ｂｅと底壁３の上面との間には隙間が形成されている。この周壁２の下端２ｂｅのうち後側部分を表支持領域２１と称する。また、底壁３の上面と表支持領域２１との隙間を挿し込み隙間１１と称する。
【００５１】
図１に示すように、表支持領域２１および挿し込み隙間１１は、周壁２の周方向に沿って連続的に形成されている。略円筒状をなす周壁２において、後側かつ下端２ｂｅ側に位置する部分は、周方向に沿って帯状に切り欠かれているともいい得る。
なお、周壁２の上端２ｔｅの高さ方向における位置は、周壁２の全周にわたって略同じ位置である。
【００５２】
底壁３における先側部分は、周壁２に沿った略半円状をなす。また、底壁３における後側部分は、略矩形状をなし、底壁３における先側部分から後側に向けて連続的に延びる。底壁３は、表支持領域２１よりもさらに奥側にまで延びる。ここでいう奥側とは、周壁２の中心線Ｌ０を中心とする径方向において、表支持領域２１よりも外側を意味する。底壁３における後側部分の一部は、周壁２よりもさらに径方向外側にはみ出すともいい得る。
【００５３】
図１および図２に示すように、挿し込み隙間１１よりも奥側には、奥側区画部４が設けられている。図１に示すように、奥側区画部４は、頂壁４１、奥壁４２、および二つの側壁４３で構成されている。
【００５４】
このうち側壁４３は、上下方向および先後方向に延びる略板状をなし、挿し込み隙間１１の左側および右側において、各々、底壁３の上面に一体化されている。
頂壁４１は、略水平方向に延びる板状をなし、挿し込み隙間１１の上側において周壁２の表支持領域２１に一体化されている。頂壁４１は、挿し込み隙間１１を挟んで底壁３と対面する。
奥壁４２は、上下方向および左右方向に延びる略矩形の板状をなし、二つの側壁４３、頂壁４１および底壁３の後側において、これらを連結する。
【００５５】
挿し込み隙間１１のさらに奥側には、これら奥側区画部４と底壁３とによって、空間が区画される。当該空間を奥側空間４０と称する。
収容空間５と奥側空間４０とは、挿し込み隙間１１を介して連絡する。
【００５６】
既述したように、収容空間５は、上方に開口し、当該開口５ｏを経て上方から挿し込まれた飲料容器９１やスマートフォン９２を保持し得る。図２に示すように、実施例１の車載用容器ホルダ１において、飲料容器９１の底面９１ｂｓは底壁３によって支持され、側面９１ｓｓは周壁２によって支持される。
【００５７】
また、図１および図２に示すように、スマートフォン９２は、裏面９２ｂｓを先側かつ下側に、表面９２ｆｓを後側かつ上側に向けて、収容空間５に対して先側かつ上側から後側かつ下側に向けて斜めに挿し込まれる。特に、スマートフォン９２の底部９２ｂｐは、挿し込み隙間１１よりも奥側に挿し込まれる。このため、図２に示すように、スマートフォン９２の底部９２ｂｐにおける左端部９２ｌｅおよび右端部９２ｒｅは、各々、奥側空間４０に収容される。
【００５８】
収容空間５に保持されたスマートフォン９２の裏面９２ｂｓは周壁２の裏支持領域２９によって支持される。詳しくは、スマートフォン９２の裏面９２ｂｓは、その頂部９２ｔｐ側の部分において、周壁２の上端２ｔｅにおける先側部分に位置する二点によって下側から支持される。当該周壁２の上端２ｔｅにおける先側部分を裏支持領域２９と称する。また、当該裏支持領域２９に含まれスマートフォンの裏面９２ｂｓを支持する二点を、第１裏当接部２５および第２裏当接部２６と称する。
第１裏当接部２５及び第２裏当接部２６は、左右方向に離れている。第１裏当接部２５は、周壁２における先側の端部よりもやや後側かつ右側に位置し、第２裏当接部２６は、周壁２における先側の端部よりもやや後側かつ左側に位置する。
【００５９】
図１および図２に示すように、実施例１の車載用容器ホルダ１において、収容空間５に保持されたスマートフォン９２の底部９２ｂｐは底壁３によって下側から支持される。詳しくは、スマートフォン９２の底部９２ｂｐは、左右方向の略全体にわたって、底壁３によって線状に支持される。底壁３のうち当該スマートフォン９２の底部９２ｂｐを支持する線状の部分を、底支持領域３５と称する。
【００６０】
さらに、実施例１の車載用容器ホルダ１において、収容空間５に保持されたスマートフォン９２の表面９２ｆｓは表支持領域２１によって支持される。詳しくは、スマートフォン９２の表面９２ｆｓは、その底部９２ｂｐ側の部分において、表支持領域２１の二点によって支持される。当該表支持領域２１の二点を、第１表当接部２７および第２表当接部２８と称する。
【００６１】
第１表当接部２７および第２表当接部２８は、左右方向に離れている。第１表当接部２７は、表支持領域２１における後側の端部よりもやや先側かつ右側に位置し、第２表当接部２８は、表支持領域２１における後側の端部よりもやや先側かつ左側に位置する。
図２に示すように、実施例１の車載用容器ホルダ１においては、第１表当接部２７及び第２表当接部２８は、底支持領域３５よりも先側に位置し、第１裏当接部２５および第２裏当接部２６は、第１表当接部２７および第２表当接部２８よりもさらに先側に位置する。
【００６２】
なお、実施例１の車載用容器ホルダ１において、周壁２の鉛直方向に対する交差角度は、約５°である。また裏支持領域２９の中心（すなわち第１裏当接部２５および第２裏当接部２６の中心）と、表支持領域２１の中心（すなわち第１表当接部２７および第２表当接部２８の中心）とをむすぶ直線は、車両進行方向に対して略平行である。
また、挿し込み隙間１１の高さＨ１は１５ｍｍであり、車載用容器ホルダ１の高さＨ０と挿し込み隙間１１の高さＨ１との関係Ｈ１／Ｈ０は、およそ１／３．７である。
【００６３】
実施例１の車載用容器ホルダ１によると、斜めの状態のスマートフォン９２を裏支持領域２９に含まれる第１裏当接部２５および第２裏当接部２６、表支持領域２１に含まれる第１表当接部２７および第２表当接部２８、ならびに、底支持領域３５によって支持することで、スマートフォン９２を安定して保持できる。また、スマートフォン９２の表面９２ｆｓを表支持領域２１すなわち第１表当接部２７及び第２表当接部２８によって上側から支持することで、車両の急制動時等にスマートフォン９２に上方に向けた力が作用しても、スマートフォン９２に表支持領域２１が干渉することで、スマートフォン９２の上方への位置変化が規制される。よって、実施例１の車載用容器ホルダ１に保持されたスマートフォン９２は、急制動時においても上方に飛び出し難く、安定して保持される。
【００６４】
さらに、実施例１の車載用容器ホルダ１においては、スマートフォン９２の底部９２ｂｐに底壁３の底支持領域３５が線接触して、当該スマートフォン９２の底部９２ｂｐを底壁３の底支持領域３５が線状に支持する。このため、スマートフォン９２はさらに安定に支持される。
以上の協働により、実施例１の車載用容器ホルダ１によると飲料容器９１だけでなくスマートフォン９２をも安定して保持することが可能である。
【００６５】
実施例１の車載用容器ホルダ１は、底壁３の底支持領域３５がスマートフォン９２の底部９２ｂｐを線状に支持するだけであり、周壁２の表支持領域２１及び裏支持領域２９は、各々、スマートフォン９２の表面９２ｆｓおよび裏面９２ｂｓを点状に支持する。このため、実施例１の車載用容器ホルダ１は、スマートフォン９２を様々な傾きで保持することができる。そして、当該実施例１の車載用容器ホルダ１は、スマートフォン９２を様々な傾きで保持することで、様々な大きさのスマートフォン９２に対応し、これらを安定して保持し得る利点もある。
【００６６】
（実施例２）
実施例２の車載用容器ホルダ１は、奥側区画部４を有さないこと以外は、実施例１の車載用容器ホルダ１と概略同じものである。
実施例２の車載用容器ホルダ１を模式的に表す斜視図を図３に示す。
【００６７】
図３に示すように、実施例２の車載用容器ホルダ１は、奥側区画部４を有さず、表支持領域２１および挿し込み隙間１１の奥側は、外界に露出している。したがって収容空間５は、挿し込み隙間１１を通じて外界に連絡している。
このような実施例２の車載用容器ホルダ１によっても、実施例１の車載用容器ホルダ１と同様に、斜めの状態のスマートフォン９２を裏支持領域２９（第１裏当接部２５、第２裏当接部２６）、表支持領域２１（第１表当接部２７、第２表当接部２８）および底支持領域３５によって支持することができる。このため、実施例２の車載用容器ホルダ１によっても、実施例１の車載用容器ホルダ１と同様に、急制動時にもスマートフォン９２を安定して保持できる。
【００６８】
（実施例３）
実施例３の車載用容器ホルダ１は、表支持領域２１、挿し込み隙間１１および奥側区画部４の形状以外は実施例１の車載用容器ホルダ１と概略同じものである。
実施例３の車載用容器ホルダ１を模式的に表す斜視図を図４に示す。
【００６９】
図４に示すように、実施例３の車載用容器ホルダ１における奥側区画部４の頂壁４１は、先側かつ上側から後側かつ下側に向けて傾斜している。このため奥側区画部４は、その高さが後側に向けて減少する先細りの形状となっている。
また、表支持領域２１は、先側かつ上側から後側かつ下側に向けて傾斜する楕円弧状をなす。このため、挿し込み隙間１１の高さは、先側から後側に向けて徐々に小さくなっている。
【００７０】
このような実施例３の車載用容器ホルダ１によっても、実施例１の車載用容器ホルダ１と同様に、斜めの状態のスマートフォン９２を裏支持領域２９（第１裏当接部２５、第２裏当接部２６）、表支持領域２１（第１表当接部２７、第２表当接部２８）および底支持領域３５によって支持することができる。このため、実施例３の車載用容器ホルダ１によっても、実施例１の車載用容器ホルダ１と同様に、急制動時にもスマートフォン９２を安定して保持できる。
また、奥側区画部４の頂壁４１が先側かつ上側から後側かつ下側に向けて傾斜しているため、場合によっては、スマートフォン９２の表面９２ｆｓにおける底部９２ｂｐ側の部分を、当該頂壁４１の下面によって面状に支持することができる。この場合、スマートフォン９２は、実施例３の車載用容器ホルダ１によって、より安定して保持される。
【００７１】
（実施例４）
実施例４の車載用容器ホルダ１は、周壁２および底壁３の形状以外は、実施例１の車載用容器ホルダ１と概略同じものである。
実施例４の車載用容器ホルダ１を模式的に表す斜視図を図５に示す。
【００７２】
図５に示すように、実施例４の車載用容器ホルダ１において、その後側部分に関しては実施例１の車載用容器ホルダ１と同様であるが、周壁２における先側部分は角筒状をなし、底壁３における先側部分もまた矩形状をなす。したがって、実施例４の車載用容器ホルダ１における先端部は、上下方向に延びるストレート壁２４で構成されている。
このため、実施例４の車載用容器ホルダ１における裏支持領域２９は、左右方向に延びる直線状をなし、スマートフォンの裏面を線状に支持する。
【００７３】
実施例４の車載用容器ホルダ１によると、裏支持領域２９がスマートフォンの裏面を線状に支持する。このため、実施例４の車載用容器ホルダ１は、スマートフォンの裏面をより安定して支持することが可能である。また、実施例４の車載用容器ホルダ１においても、スマートフォンの表面を実施例１同様の表支持領域２１によって支持し、スマートフォンの底部を底支持領域３５によって支持する。このため、実施例４の車載用容器ホルダ１によっても、実施例１の車載用容器ホルダ１と同様に、急制動時にもスマートフォンを安定して保持できる。
【００７４】
（実施例５）
実施例５の車載用容器ホルダ１は、周壁２の形状ならびに表支持領域２１、挿し込み隙間１１および奥側区画部４の形状以外は実施例１の車載用容器ホルダ１と概略同じものである。
実施例５の車載用容器ホルダ１を模式的に表す斜視図を図６に示す。
【００７５】
図６に示すように、実施例５の車載用容器ホルダ１では、実施例４の車載用容器ホルダ１とは逆に、周壁２の後側部分が角筒状をなし、周壁２の先側部分が円筒状をなす。表支持領域２１は、左右方向に延びる直線状をなし、挿し込み隙間１１もまた左右方向に延びる帯状をなす。奥側区画部４は表支持領域２１よりも後側に形成されている。
このため、実施例５の車載用容器ホルダ１における表支持領域２１は、スマートフォンの表面を線状に支持する。
【００７６】
実施例５の車載用容器ホルダ１によると、表支持領域２１がスマートフォンの表面を線状に支持する。このため、実施例５の車載用容器ホルダ１は、スマートフォンの表面を左右方向の略全体にわたって上側から安定して支持することが可能であり、急制動におけるスマートフォンの上方への飛び出しをより信頼性高く抑制できる。
【００７７】
（実施例６）
実施例６の車載用容器ホルダ１は、表支持領域２１および挿し込み隙間１１が周壁２の全周にわたって連続的に設けられ、かつ、奥側区画部４が周壁２の全周にわたって、周壁２の径方向外側に設けられているものである。実施例６の車載用容器ホルダ１は、このこと以外は、実施例１の車載用容器ホルダ１と概略同じものである。
実施例６の車載用容器ホルダ１を模式的に表す斜視図を図７に示す。
【００７８】
図７に示すように、実施例６の車載用容器ホルダ１における底壁３は、周壁２よりも大径の略円形の板状をなし、周壁２の全周にわたって周壁２よりも径方向外方にはみ出ている。周壁２の下端２ｂｅは、周壁２の全周にわたって、底壁３の上面よりもさらに上側にある。周壁２の上端２ｔｅは、周壁２の周方向全周にわたって連続的に形成されている。したがって、実施例６の車載用容器ホルダ１では、表支持領域２１、挿し込み隙間１１および裏支持領域２９が周壁２の全周にわたって連続的に設けられている。表支持領域２１は円形に延び、挿し込み隙間１１は表支持領域２１に沿って略円形にかつ上下方向に延びる環状をなす。
【００７９】
挿し込み隙間１１の奥側すなわち径方向外側は、挿し込み隙間１１の全周にわたって、底壁３および奥側区画部４によって覆われている。挿し込み隙間１１の奥側には、底壁３と奥側区画部４によってリング状の奥側空間４０が区画形成されている。
【００８０】
実施例６の車載用容器ホルダ１においては、表支持領域２１、挿し込み隙間１１および裏支持領域２９が周壁２の全周にわたって連続的に設けられている。このため、実施例６の車載用容器ホルダ１によると、スマートフォンを様々な方向に保持することができる。また、当該様々な方向において、スマートフォンの表面は表支持領域２１によって支持され、スマートフォンの裏面は裏支持領域２９によって支持され、スマートフォンの底部は底壁３の底支持領域３５によって支持される。このため実施例６の車載用容器ホルダ１は、スマートフォンを様々な方向にかつ安定に保持できるといい得る。
【００８１】
本発明は、上記し且つ図面に示した実施形態にのみ限定されるものではなく、要旨を逸脱しない範囲内で適宜変更して実施できる。また、実施形態を含む本明細書に示した各構成要素は、それぞれ任意に抽出し組み合わせて実施できる。
【符号の説明】
【００８２】
１：車載用容器ホルダ、２：周壁、２ｂｅ：周壁における下端、２１：表支持領域、２９：裏支持領域、３：底壁、３５：底支持領域、５：収容空間、９２：スマートフォン、９２ｆｓ：表面、９２ｂｓ：裏面、９２ｂｐ：底部。
【図１】
2020179834.tif 000003
【図２】
2020179834.tif 000004
【図３】
2020179834.tif 000005
【図４】
2020179834.tif 000006
【図５】
2020179834.tif 000007
【図６】
2020179834.tif 000008
【図７】
2020179834.tif 000009